(57)【要約】【課題】  付着物除去のメンテナンスを頻繁に行わずとも不純物を含む霧化液を基にミストを継続的に発生させることのできる静電霧化装置を、簡単な構造により安価で提供する。【解決手段】  霧化液を収容する貯蔵部と、霧化液に電圧を印加する印加電極と、貯蔵部内の霧化液を一端側に接触させるとともに他端側に霧化部４を有している搬送部３と、搬送部３の霧化部４と対向する対向電極とを備えて、搬送部３が貯蔵部内から吸上げた霧化液を該搬送部３の霧化部４において霧化させる静電霧化装置において、搬送部３の霧化部４に複数の突出部１０を形成する。【選択図】        図１
2005193082.tif 000002
【特許請求の範囲】
【請求項１】
霧化液を収容する貯蔵部と、霧化液に電圧を印加する印加電極と、貯蔵部内の霧化液を一端側に接触させるとともに他端側に霧化部を有している搬送部と、搬送部の霧化部と対向する対向電極とを備えて、搬送部が貯蔵部内から吸上げた霧化液を該搬送部の霧化部において霧化させる静電霧化装置であって、搬送部の霧化部に複数の突出部を形成することを特徴とする静電霧化装置。
【請求項２】
前記突出部が、その端部が露出するように霧化部に保持させた短繊維であることを特徴とする請求項１に記載の静電霧化装置。
【請求項３】
前記短繊維が、導電性材料から成ることを特徴とする請求項２に記載の静電霧化装置。
【発明の詳細な説明】
【技術分野】
【０００１】
本発明は、静電霧化現象によりミストを発生させる静電霧化装置に関するものである。
【背景技術】
【０００２】
静電霧化装置とは、水等の霧化液を収容する貯蔵部と、霧化液に電圧を印加する印加電極と、貯蔵部内の霧化液を一端側に接触させるとともに他端側に霧化部を有している搬送部と、搬送部の霧化部と対向する対向電極とを備えて、搬送部が貯蔵部内から吸上げた霧化液を該搬送部の霧化部において静電霧化現象により霧化させることでミストを発生させるものである（特許文献１参照）。上記霧化液としては水道水を使用することが多いが、水道水はＣａ、Ｍｇ等の不純物を含むものであることから、水道水を使用した場合にはこの不純物が空気中のＣＯ２と反応して霧化部にＣａＣＯ３やＭｇＯ等を析出付着させ、この付着物がミストの発生を妨げてしまうという問題があった。上記問題を解決する為には、使用者がＣａＣＯ３やＭｇＯ等の付着物を取り除くメンテナンスを頻繁に行えば良いのだが、これは使用者に多大な労力を要求するものであって、好ましくない。また、析出付着を防止する手段として、霧化液中の不純物を除去する手段を備えることも考えられるが、この場合は構造が複雑となり安価で提供することが困難になる。
【特許文献１】特許第３２６０１５０号公報
【発明の開示】
【発明が解決しようとする課題】
【０００３】
本発明は上記問題点に鑑みて発明したものであって、使用者が付着物除去のメンテナンスを頻繁に行わずとも水道水等の不純物を含む霧化液を基にミストを継続的に発生させることのできる静電霧化装置を、簡単な構造により安価で提供することを課題とするものである。
【課題を解決するための手段】
【０００４】
上記課題を解決するために本発明を、霧化液を収容する貯蔵部１と、霧化液に電圧を印加する印加電極２と、貯蔵部１内の霧化液を一端側に接触させるとともに他端側に霧化部４を有している搬送部１と、搬送部１の霧化部４と対向する対向電極６とを備えて、搬送部３が貯蔵部１内から吸上げた霧化液を該搬送部３の霧化部４において霧化させる静電霧化装置であって、搬送部３の霧化部４に複数の突出部１０を形成することを特徴としたものとする。このようすることで、各突出部１０においてそれぞれ霧化液を霧化させることができ、霧化液として例えば不純物を含む水道水を用いた場合であっても、析出物の付着析出は複数突設してある突出部１０のそれぞれに略均等に生じることとなる。即ち、霧化部４に複数の突出部１０を形成するといった簡単な構造により、付着物が霧化部４の１箇所に集中して発生してミストの発生を妨げてしまうことが効果的に防止されるものである。
【０００５】
また、前記突出部１０は、その端部が露出するように霧化部４に保持させた短繊維１１であることが好ましく、この短繊維１１は導電性材料から成るものであることが好ましい。
【発明の効果】
【０００６】
本発明は、付着物が１箇所に集中して発生することを簡単な構造により効果的に防止するものであるから、使用者が付着物除去のメンテナンスを頻繁に行わずとも水道水等の不純物を含む霧化液を基にミストを継続的に発生させることのできる静電霧化装置を簡単な構造により安価で提供することができるという効果を奏する。
【発明を実施するための最良の形態】
【０００７】
以下、本発明を添付図面に示す実施形態に基いて説明する。図２には、本発明の実施の形態における一例の静電霧化装置の全体を示している。本例の静電霧化装置は、水等の霧化液を収容しておく貯蔵部１と、霧化液に電圧を印加する印加電極２と、貯蔵部１内の霧化液と一端側が接触するように印加電極２に保持される搬送部３と、搬送部３の他端側に形成される霧化部４と対向するように対向電極保持部５に保持される対向電極６と、印加電極２と対向電極６との間に電界強度が５００Ｖ／ｍｍを超えるような高電圧を印加する電圧印加部７とを具備したものであり、搬送部３がその一端側から貯蔵部１内の霧化液を吸上げるとともに該霧化液を他端側の霧化部４にまで搬送し、霧化部４において霧化液をレイリー分裂によって高帯電のミストに霧化させ、外部に向けて吐出させるようになっている。
【０００８】
図１に示すように、上記搬送部３は、複数本の直線状の線材８を各線材８の長手方向が一致するように束ねた状態に保持させ、一方の先端側（図示例では上側）を霧化部４としたものである。線材８としては例えば０．０５ｍｍ程度の素線径のものを用い、この線材８を多数束ねた状態に保持することで、搬送部３全体が例えば直径Ｄ１＝５ｍｍで長さがＬ１＝７０ｍｍ程度の円柱状を成すようにする。上記のような線材８の集結により形成される本例の搬送部３は、貯蔵部１内の霧化液と接触する一端側から霧化部４を有する他端側にまで連続する複数本の線材８により形成される構造となり、したがって近接する各線材８間の隙間９も、貯蔵部１内の霧化液と接触する一端側から霧化部４を有する他端側にまで直線状に且つ連続して形成されることとなる。そして、貯蔵部１内の霧化液はこの一直線状の隙間９を通って蛇行することなく素早く搬送されるものである。
【０００９】
また、本例の搬送部３においては、各線材８の霧化部４を有する側（図示例では上側）の端部の長さを０．１ｍｍ程度略交互に異ならせ、搬送部３の霧化部４側の線材８の密度が疎となるようにしており、各線材８のうち長く形成している方の線材８の突出部分が、霧化部４に形成される複数の突出部１０を成し、各突出部１０においてそれぞれ静電霧化現象によりミストを発生させるようになっている。したがって、霧化部４に多数突設してある突出部１０のうち一つの突出部１０に霧化液が存在しない状態となっても他の突出部１０ではミストを発生させることができ、また、他の突出部１０でミストを発生させている間に霧化液のない突出部１０に霧化液を搬送することができるので、途切れることなく連続的にミストが発生し続けることとなる。また、霧化液として例えば不純物を含む水道水を用いた場合であっても、析出付着は多数突設してある突出部１０のそれぞれに略均等に生じるものであり、これにより、付着物が１箇所に集中して発生することでミストの発生を妨げてしまうことが防止されている。
【００１０】
線材８（即ち突出部１０）の材質としては導電性材料つまり電気抵抗の小さな材料を用いており、これにより突出部１０がコロナ放電電極としても機能し、対向電極６との間でのコロナ放電によりマイナスイオンを発生させるようにしている。線材８に用いる導電性材料としては、電気抵抗の最も小さな銀や安価に入手可能な銅も考えられるが、静電霧化装置に用いる搬送部３としての耐食性も考慮すればＳＵＳ３１６等のステンレス材を用いるのが好適である。
【００１１】
次に、本発明の実施の形態における他例の静電霧化装置について説明する。なお、上記した一例と同様の構成については同一符号を付して説明を省略し、一例と異なる特徴的な構成について図３に基づいて説明する。本例の静電霧化装置の搬送部３は、一例のように長さが異なる線材８の先端の突出部分を突出部１０とした構造ではなく、円柱状を成す搬送部３の一端側に形成される霧化部４に複数の短繊維１１を保持させ、この短繊維１１の端部が霧化部４の表面（図示例では上端面）から露出するように設けることで、短繊維１１の露出部分を突出部分１０とした構造である。短繊維１０の材質は線材８と同様の導電性材料であって、耐食性を考慮すればステンレス材を用いることが好ましいが、カーボンファイバー等の線材８とは異なる材質であっても構わない。
【００１２】
また、搬送部３は一例のような線材８を集結させた構造でなくてもよく、例えば搬送部３自体は非伝導性材料であるセラミック多孔質体を円柱状に成形した構造とし、このセラミック多孔質体から成る搬送部３の一端側に設けてある霧化部４に複数の短繊維１１をその端部が露出するように保持させたものとしても構わない。いずれの構造においても、短繊維１１が導電性材料であれば該端繊維１１がコロナ放電電極としても機能し、また、短繊維１１自体が放電の起点となることで放電現象延いては静電霧化現象を促進させることとなる。
【図面の簡単な説明】
【００１３】
【図１】本発明の実施の形態における一例の静電霧化装置の搬送部を示しており、（ａ）は概略縦断面図、（ｂ）は（ａ）のＡ部分の概略正面図である。
【図２】同上の静電霧化装置全体を示す分解斜視図である。
【図３】本発明の実施の形態における他例の静電霧化装置の搬送部を示す説明図である。
【符号の説明】
【００１４】
１  貯蔵部
２  印加電極
３  搬送部
４  霧化部
６  対向電極
１０  突出部
１１  短繊維
【図１】
2005193082.tif 000003
【図２】
2005193082.tif 000004
【図３】
2005193082.tif 000005